(57)【要約】【課題】  複数の異なる波長のレーザー光が用いられる場合における受光素子の良好な特性を確保する。【解決手段】  ディスク状記録媒体１００の種類に応じて異なる波長のレーザー光をそれぞれ発光する複数の発光点９ａ、９ｂ、９ｃを有する発光素子９と、該発光素子から発光されディスク状記録媒体で反射されたレーザー光の戻り光を受光する受光面１４ａを有する受光素子１４とを設け、ディスク状記録媒体で反射された各波長のレーザー光がそれぞれ受光面に入射される位置に受光素子を移動するようにした。【選択図】図６
2006120216.tif 000002
【特許請求の範囲】
【請求項１】
ディスクテーブルに装着されるディスク状記録媒体の半径方向へ移動されると共に該ディスク状記録媒体に対して対物レンズを介してレーザー光を照射しディスク状記録媒体に対する情報信号の記録又は再生を行う光ピックアップであって、
ディスク状記録媒体の種類に応じて異なる波長のレーザー光をそれぞれ発光する複数の発光点を有する発光素子と、
該発光素子から発光されディスク状記録媒体で反射されたレーザー光の戻り光を受光する受光面を有する受光素子とを備え、
ディスク状記録媒体で反射された各波長のレーザー光がそれぞれ受光面に入射される位置に受光素子を移動するようにした
ことを特徴とする光ピックアップ。
【請求項２】
各波長のレーザー光毎の受光素子の各移動位置を予め設定し、
発光される発光点に応じて上記各移動位置に受光素子を移動するようにした
ことを特徴とする請求項１に記載の光ピックアップ。
【請求項３】
受光素子の受光面を複数の受光領域に分割し、
分割された各受光領域におけるレーザー光の受光量を検出し、
各受光領域において検出した受光量に基づいて生成した受光素子についてのポジション信号が所定の範囲内となる位置に受光素子を移動するようにした
ことを特徴とする請求項１に記載の光ピックアップ。
【請求項４】
発光素子に異なる波長のレーザー光を発光する３つの発光点を設けた
ことを特徴とする請求項１に記載の光ピックアップ。
【請求項５】
ディスクテーブルに装着されるディスク状記録媒体の半径方向へ移動されると共に該ディスク状記録媒体に対して対物レンズを介してレーザー光を照射しディスク状記録媒体に対する情報信号の記録又は再生を行う光ピックアップを備えたディスクドライブ装置であって、
上記光ピックアップは、
ディスク状記録媒体の種類に応じて異なる波長のレーザー光をそれぞれ発光する複数の発光点を有する発光素子と、
該発光素子から発光されディスク状記録媒体で反射されたレーザー光の戻り光を受光する受光面を有する受光素子とを備え、
ディスク状記録媒体で反射された各波長のレーザー光がそれぞれ受光面に入射される位置に受光素子を移動するようにした
ことを特徴とするディスクドライブ装置。
【請求項６】
各波長のレーザー光毎の受光素子の各移動位置を予め設定し、
発光される発光点に応じて上記各移動位置に受光素子を移動するようにした
ことを特徴とする請求項５に記載のディスクドライブ装置。
【請求項７】
受光素子の受光面を複数の受光領域に分割し、
分割された各受光領域におけるレーザー光の受光量を検出し、
各受光領域において検出した受光量に基づいて生成した受光素子についてのポジション信号が所定の範囲内となる位置に受光素子を移動するようにした
ことを特徴とする請求項５に記載のディスクドライブ装置。
【請求項８】
発光素子に異なる波長のレーザー光を発光する３つの発光点を設けた
ことを特徴とする請求項５に記載のディスクドライブ装置。
【発明の詳細な説明】
【技術分野】
【０００１】
本発明は光ピックアップ及びこれを備えたディスクドライブ装置についての技術分野に関する。詳しくは、波長の異なるレーザー光がそれぞれ受光面に入射される位置に受光素子を移動させて、複数の異なる波長のレーザー光が用いられる場合における受光素子の良好な特性を確保する技術分野に関する。
【背景技術】
【０００２】
ディスク状記録媒体に対する情報信号の記録や再生を行うディスクドライブ装置があり、このようなディスクドライブ装置は、ディスクテーブルに装着されるディスク状記録媒体の半径方向へ移動し該ディスク状記録媒体に対して対物レンズを介してレーザー光を照射して情報信号の記録又は再生を行う光ピックアップを備えている。
【０００３】
光ピックアップは、ディスク状記録媒体の半径方向へ移動可能とされた移動ベースに発光素子や受光素子等の各光学部品が配置され、発光素子から発光されたレーザー光がディスク状記録媒体の記録面で反射され、その戻り光が受光素子で受光されてディスク状記録媒体に対する情報信号の記録又は再生が行われる。
【０００４】
ディスクドライブ装置には、近年、使用波長の異なる複数の種類のディスク状記録媒体、例えば、ＣＤ（Compact Disc）、ＤＶＤ（Digital Versatile Disc）、ＢＤ（Blu-ray Disc）等に対して情報信号の記録又は再生が可能とされたものがある。
【０００５】
このようなディスクドライブ装置に備えられた光ピックアップには、小型化等を考慮して、異なる波長のレーザー光を各ディスク状記録媒体へ向けてそれぞれ発光する複数の発光点を有する発光素子が配置されているものがある。
【０００６】
複数の発光点を有する発光素子が配置された光ピックアップにあっては、発光点の位置が異なると共に各光学部品の屈折率の相違により各レーザー光間で光軸ズレが生じて受光素子における受光点が異なってしまうため、異なる波長のレーザー光に対応した数の受光素子を配置したり、光路中に光軸合成素子を配置して光軸ズレの補正を行うという方法を用いて、上記した受光点の相違に対応するようにしている。
【０００７】
また、光軸ズレの補正を、光路中に配置した楔状ガラスを移動又は回転させることにより行うようにしたものもある（例えば、特許文献１参照）。
【０００８】
【特許文献１】特開平６―２８６８７号公報
【発明の開示】
【発明が解決しようとする課題】
【０００９】
ところが、上記した異なる波長のレーザー光に対応した数の受光素子を配置する方法にあっては、レーザー光を各受光素子に導くための光分離素子等の光学部品の数が増加する他、波長が異なるレーザー光毎の複数の受光素子が必要となり、部品点数が多くなると共にこれらの各部品を配置するための大きなスペースも必要となり光ピックアップの大型化を来たすという問題がある。
【００１０】
また、光路中に光軸合成素子や楔状ガラスを配置する方法にあっては、これらの各部品を配置する分、部品点数が増加すると共に光路長を長くする必要があり、やはり光ピックアップが大型となってしまう。
【００１１】
さらに、光軸合成素子や楔状ガラスを配置する方法は、２波長のレーザー光には対応可能であるが、３波長以上になると全ての波長で光軸を一致させることが困難になるという問題もある。
【００１２】
一方、上記した光軸ズレによる受光点のズレに対応するために、１つの受光素子に、各波長に対応した複数の受光面を設けることも可能であるが、この場合には、受光面の位置や、アンプ回路の配置位置等に制約が生じるという不具合がある。
【００１３】
そこで、本発明光ピックアップ及びこれを備えたディスクドライブ装置は、上記した問題点を克服し、複数の異なる波長のレーザー光が用いられる場合における受光素子の良好な特性を確保することを課題とする。
【課題を解決するための手段】
【００１４】
本発明光ピックアップ及びこれを備えたディスクドライブ装置は、上記した課題を解決するために、ディスク状記録媒体の種類に応じて異なる波長のレーザー光をそれぞれ発光する複数の発光点を有する発光素子と、該発光素子から発光されディスク状記録媒体で反射されたレーザー光の戻り光を受光する受光面を有する受光素子とを設け、ディスク状記録媒体で反射された各波長のレーザー光がそれぞれ受光面に入射される位置に受光素子を移動するようにしたものである。
【００１５】
従って、本発明光ピックアップ及びこれを備えたディスクドライブ装置にあっては、各レーザー光の受光点の位置に応じて受光素子が移動される。
【発明の効果】
【００１６】
本発明光ピックアップは、ディスクテーブルに装着されるディスク状記録媒体の半径方向へ移動されると共に該ディスク状記録媒体に対して対物レンズを介してレーザー光を照射しディスク状記録媒体に対する情報信号の記録又は再生を行う光ピックアップであって、ディスク状記録媒体の種類に応じて異なる波長のレーザー光をそれぞれ発光する複数の発光点を有する発光素子と、該発光素子から発光されディスク状記録媒体で反射されたレーザー光の戻り光を受光する受光面を有する受光素子とを備え、ディスク状記録媒体で反射された各波長のレーザー光がそれぞれ受光面に入射される位置に受光素子を移動するようにしたことを特徴とする。
【００１７】
従って、レーザー光の光路中に配置する光学部品の数を低減させると共に光学系の光路長を短くした上で、受光素子の良好な特性を確保することができる。
【００１８】
また、１つの受光素子に各波長に対応した複数の受光面を設けた場合の受光面の位置やアンプ回路の配置位置等の制約という不具合を生じることがなく、受光素子の良好な特性を確保することができる。
【００１９】
請求項２に記載した発明にあっては、各波長のレーザー光毎の受光素子の各移動位置を予め設定し、発光される発光点に応じて上記各移動位置に受光素子を移動するようにしたので、受光素子の移動制御を容易に行うことができる。
【００２０】
請求項３に記載した発明にあっては、受光素子の受光面を複数の受光領域に分割し、分割された各受光領域におけるレーザー光の受光量を検出し、各受光領域において検出した受光量に基づいて生成した受光素子についてのポジション信号が所定の範囲内となる位置に受光素子を移動するようにしたので、受光素子の移動制御の精度の向上を図ることができる。
【００２１】
請求項４に記載した発明にあっては、発光素子に異なる波長のレーザー光を発光する３つの発光点を設けたので、光軸合成素子や楔状ガラスを配置して３つの波長に対して光軸合成を行うようにしたときの困難性が回避され、受光素子の良好な特性を確保することができる。
【００２２】
本発明光ピックアップを備えたディスクドライブ装置は、ディスクテーブルに装着されるディスク状記録媒体の半径方向へ移動されると共に該ディスク状記録媒体に対して対物レンズを介してレーザー光を照射しディスク状記録媒体に対する情報信号の記録又は再生を行う光ピックアップを備えたディスクドライブ装置であって、上記光ピックアップは、ディスク状記録媒体の種類に応じて異なる波長のレーザー光をそれぞれ発光する複数の発光点を有する発光素子と、該発光素子から発光されディスク状記録媒体で反射されたレーザー光の戻り光を受光する受光面を有する受光素子とを備え、ディスク状記録媒体で反射された各波長のレーザー光がそれぞれ受光面に入射される位置に受光素子を移動するようにしたことを特徴とする。
【００２３】
従って、レーザー光の光路中に配置する光学部品の数を低減させると共に光学系の光路長を短くした上で、受光素子の良好な特性を確保することができる。
【００２４】
また、１つの受光素子に各波長に対応した複数の受光面を設けた場合の受光面の位置やアンプ回路の配置位置等の制約という不具合を生じることがなく、受光素子の良好な特性を確保することができる。
【００２５】
請求項６に記載した発明にあっては、各波長のレーザー光毎の受光素子の各移動位置を予め設定し、発光される発光点に応じて上記各移動位置に受光素子を移動するようにしたので、受光素子の移動制御を容易に行うことができる。
【００２６】
請求項７に記載した発明にあっては、受光素子の受光面を複数の受光領域に分割し、分割された各受光領域におけるレーザー光の受光量を検出し、各受光領域において検出した受光量に基づいて生成した受光素子についてのポジション信号が所定の範囲内となる位置に受光素子を移動するようにしたので、受光素子の移動制御の精度の向上を図ることができる。
【００２７】
請求項８に記載した発明にあっては、発光素子に異なる波長のレーザー光を発光する３つの発光点を設けたので、光軸合成素子や楔状ガラスを配置して３つの波長に対して光軸合成を行うようにしたときの困難性が回避され、受光素子の良好な特性を確保することができる。
【発明を実施するための最良の形態】
【００２８】
以下に、本発明光ピックアップ及びこれを備えたディスクドライブ装置の最良の形態を添付図面に従って説明する。
【００２９】
ディスクドライブ装置１は、外筐２内に所要の各部材及び各機構が配置されて成り（図１参照）、外筐２には図示しないディスク挿入口が形成されている。
【００３０】
外筐２内には図示しないシャーシが配置され、該シャーシに取り付けられたスピンドルモーターのモーター軸にディスクテーブル３が固定されている。
【００３１】
シャーシには、平行なガイド軸４、４が取り付けられると共に図示しない送りモーターによって回転されるリードスクリュー５が支持されている。
【００３２】
光ピックアップ６は、移動ベース７と該移動ベース７に配置された所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されるディスク状記録媒体１００の半径方向へ移動される。
【００３３】
以上のようにして構成されたディスクドライブ装置１において、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動されてディスク状記録媒体１００に対する記録動作又は再生動作が行われる。
【００３４】
光ピックアップ６は、図２に示すように、発光素子９、ビームスプリッター１１、コリメーターレンズ１２、立ち上げミラー１３、対物レンズ８ａ及び受光素子１４を備えている。
【００３５】
発光素子９は半導体レーザーであり、発光素子９からは、例えば、約７８０ｎｍ、約６６０ｎｍ又は約４０５ｎｍの波長のレーザー光がディスク状記録媒体１００である、例えば、ＣＤ（Compact Disc）、ＤＶＤ（Digital Versatile Disc）又はＢＤ（Blu-ray Disc）へ向けて発光される。
【００３６】
発光素子９は、上記のように、３つの異なる波長のレーザー光を発光するため、３つの発光点９ａ、９ｂ、９ｃを有している。各発光点９ａ、９ｂ、９ｃの発光素子９における位置は、図３に示すように、例えば、発光点９ａを基準にすると、発光点９ｂは光軸（図３に示すＺ方向）と直交する方向（図３に示すＸ方向）に発光点９ａから１００μm（距離Ｌ１）離隔され、発光点９ｃは光軸とＸ方向に直交する方向（図３に示すＹ方向）に発光点９ａから１０μm（距離Ｌ２）離隔されている。光ピックアップ６に設けられた光学系の光学倍率は、例えば、２倍とされており、受光素子１３における受光点は、発光点９ａから発光されたレーザー光を基準にすると、発光点９ｂから発光されたレーザー光については発光点９ａから発光されたレーザー光の受光点よりＸ方向に２００μm離隔した位置とされ、発光点９ｃから発光されたレーザー光については発光点９ａから発光されたレーザー光の受光点よりＹ方向に２０μm離隔した位置とされる。
【００３７】
ビームスプリッター１１は、発光素子９から発光されたレーザー光を分離面１１ａで反射してコリメーターレンズ１２へ導き、ディスク状記録媒体１００で反射されたレーザー光の戻り光を分離面１１ａを透過させて受光素子１４へ導く機能を有する。
【００３８】
コリメーターレンズ１２は入射されたレーザー光の光束を平行光束にする機能を有する。従って、ビームスプリッター１１を介してコリメーターレンズ１２に入射されたレーザー光は、平行光束となって立ち上げミラー１３を介して対物レンズ８ａに入射される。
【００３９】
立ち上げミラー１３はレーザー光を反射して対物レンズ８ａ又はコリメーターレンズ１２へ導く機能を有する。
【００４０】
対物レンズ８ａは入射されたレーザー光をディスク状記録媒体１００の記録面上に集光させる機能を有する。
【００４１】
以上のように構成された光ピックアップ６において、発光素子９からレーザー光が発光されると、レーザー光はビームスプリッター１１の分離面１１ａで反射されてコリメーターレンズ１２によって平行光束とされ、立ち上げミラー１３で立ち上げられて対物レンズ８ａを介してディスクテーブル３に装着されたディスク状記録媒体１００の記録面に照射される。ディスク状記録媒体１００の記録面に照射されたレーザー光は、該記録面で反射されて戻り光として再び対物レンズ８ａ、立ち上げミラー１３及びコリメーターレンズ１２を介してビームスプリッター１１に入射される。ビームスプリッター１１に入射された戻り光は、ビームスプリッター１１の分離面１１ａを透過され、受光素子１４に入射される。受光素子１４に戻り光が入射されると、ＲＦ信号等の各信号が検出されディスク状記録媒体１００、即ち、ＣＤ、ＤＶＤ又はＢＤに対する情報信号の記録又は再生が行われる。
【００４２】
受光素子１４は、図４に示すように、ディスク状記録媒体１００で反射されたレーザー光の戻り光を受光する受光面１４ａを有し、該受光面１４ａは４つの受光領域Ａ、Ｂ、Ｃ、Ｄによって構成され、例えば、田の字状に形成されている。
【００４３】
受光素子１４は移動ベース７に設けられた移動機構１５上に配置されている（図５参照）。
【００４４】
移動機構１５は第１のベース部１６と第２のベース部１７とを有し、外形の大きな第２のベース部１７に外形の小さな第１のベース部１６が取り付けられている。
【００４５】
第１のベース部１６上には受光素子１４が配置され、第１のベース部１６には側方へ突出されたラック部１６ａが設けられている。
【００４６】
第２のベース部１７には一対の第１の軸受突部１７ａ、１７ａと一対の第２の軸受突部１７ｂ、１７ｂとが設けられている。第２のベース部１７には側方へ突出されたラック部１７ｃが設けられている。
【００４７】
第１の軸受突部１７ａ、１７ａには第１の駆動モーター１８によって軸回り方向へ回転されＸ方向に延びる第１のリードスクリュー１９が支持され、該第１のリードスクリュー１９が第１のベース部１６のラック部１６ａと係合されている。第２の軸受突部１７ｂ、１７ｂ間にはＸ方向に延びる第１のガイド軸２０が取り付けられ、該第１のガイド軸２０に第１のベース部１６が移動自在に支持されている。従って、第１の駆動モーター１８によって第１のリードスクリュー１９が回転されると、その回転方向に応じた方向へラック部１６ａが送られて第１のベース部１６が第１のガイド軸２０に案内されてＸ方向へ移動され、この移動に伴って受光素子１４がＸ方向へ移動される。
【００４８】
光ピックアップ６の移動ベース７には、一対の第３の軸受突部７ｃ、７ｃと一対の第４の軸受突部７ｄ、７ｄとが設けられている。
【００４９】
第３の軸受突部７ｃ、７ｃには第２の駆動モーター２１によって軸回り方向へ回転されＹ方向に延びる第２のリードスクリュー２２が支持され、該第２のリードスクリュー２２が第２のベース部１７のラック部１７ｃと係合されている。第４の軸受突部７ｄ、７ｄ間にはＹ方向へ延びる第２のガイド軸２３が取り付けられ、該第２のガイド軸２３に第２のベース部１７が移動自在に支持されている。従って、第２の駆動モーター２１によって第２のリードスクリュー２２が回転されると、その回転方向に応じた方向へラック部１７ｃが送られて第２のベース部１７が第２のガイド軸２３に案内されてＹ方向へ移動され、この移動に伴って受光素子１４がＹ方向へ移動される。
【００５０】
光ピックアップ６にあっては、発光点９ａ、９ｂ、９ｃからレーザー光が発光されたときに、受光素子１４の位置をＸＹ方向において移動させる移動制御が行われる。このＸＹ方向における移動制御の一例を図６に示すフローチャート図に従って説明する。
【００５１】
この説明においては、発光点９ａから発光されるレーザー光の波長をα、発光点９ｂから発光されるレーザー光の波長をβ、発光点９ｃから発光されるレーザー光の波長をγとし、発光点９ａから発光されたレーザー光の受光点と発光点９ｂから発光されたレーザー光の受光点とはＸ方向に２００μm離隔され、発光点９ａから発光されたレーザー光の受光点と発光点９ｃから発光されたレーザー光の受光点とはＹ方向に２０μm離隔されているとする。
【００５２】
（Ｓ１）発光点９ａ、発光点９ｂ又は発光点９ｃからレーザー光が発光されるとＸＹ方向における移動制御が開始され、受光素子１４を移動機構１５によって初期位置に移動する。初期位置は発光点９ａからレーザー光が発光されるときに移動される位置であり、予め、例えば、メモリー等の記憶手段に記憶されている。従って、この（Ｓ１）の工程においては、記憶手段に記憶されている設定が読み出されて、受光素子１４が移動される。
【００５３】
（Ｓ２）発光されたレーザー光の波長がβである場合には（Ｓ３）に移行し、波長がβでない場合には（Ｓ４）に移行する。
【００５４】
（Ｓ３）移動機構１５によって受光素子１４をＸ方向へ２００μm移動させる。この移動距離は、発光点９ａ、９ｂ間の距離と光学系の光学倍率とに基づいて予め設定されており、この設定値が、例えば、メモリー等の記憶手段に記憶されている。従って、この（Ｓ３）の工程においては、記憶手段に記憶されている設定が読み出されて、受光素子１４のＸ方向における移動が行われる。受光素子１４がＸ方向へ２００μm移動されると、定置移動制御が終了する。
【００５５】
（Ｓ４）発光されたレーザー光の波長がγである場合には（Ｓ５）に移行し、波長がγでない場合には定置移動制御を終了する。
【００５６】
（Ｓ５）移動機構１５によって受光素子１４をＹ方向へ２０μm移動させる。この移動距離についても（Ｓ３）の場合と同様に設定値が記憶手段に記憶されており、この（Ｓ５）の工程においても、記憶手段に記憶されている設定が読み出されて、受光素子１４のＹ方向における移動が行われる。受光素子１４がＹ方向へ２０μm移動されると、定置移動制御を終了する。
【００５７】
以上の制御によって各発光点９ａ、９ｂ、９ｃから発光されたレーザー光がそれぞれ受光素子１４の受光面１４ａに集光されて受光される。従って、この時点でＸＹ方向における移動制御を終了することも可能であるが、光ピックアップ６にあっては、移動ベース７に対する各光学部品の配置位置の誤差や各光学部品の加工精度によっては、予め設定された受光点間の距離差、即ち、Ｘ方向における２００μm又はＹ方向における２０μmに対して実際の受光点間の距離差に誤差が生じる可能性がある。従って、このような誤差を考慮して、以下のＸＹ方向における移動制御を続行してもよい。
【００５８】
移動制御を続行する場合には、（Ｓ３）において受光素子１４がＸ方向に２００μm移動されたときに（Ｓ６）に移行し、（Ｓ４）において波長がγでないときに（Ｓ６）に移行し、（Ｓ５）において受光素子１４がＹ方向へ２０μm移動されたときに、（Ｓ６）に移行する。
【００５９】
（Ｓ６）図示しない位置検出回路によって受光素子１４のＸＹ方向における位置検出を行う。この位置検出は、例えば、受光面１４ａの分割された各受光領域Ａ、Ｂ、Ｃ、Ｄにおけるレーザー光の受光量をそれぞれＡｍ、Ｂｍ、Ｃｍ、Ｄｍとしたときに、Ｘ方向におけるポジション信号ＰｘをＰｘ＝Ａｍ＋Ｄｍ−（Ｂｍ＋Ｃｍ）によって算出し、Ｙ方向におけるポジション信号ＰｙをＰｙ＝Ａｍ＋Ｂｍ−（Ｃｍ＋Ｄｍ）によって算出することにより行う。
【００６０】
（Ｓ７）（Ｓ６）において検出したポジション信号に基づいて受光素子１４の移動方向及び移動量を演算する。この演算は、Ｘ方向においては、（Ｓ６）において算出したＰｘの値とＰｘ＝０との差により行い、Ｙ方向においては、（Ｓ６）において算出したＰｙの値とＰｙ＝０との差により行う。
【００６１】
（Ｓ８）（Ｓ７）において演算した結果、移動量についての演算結果が予め定めた規定の範囲内であるか否かが検出される。演算結果が規定内であることが検出された場合には移動制御を終了し、演算結果が規定内でないことが検出された場合には（Ｓ９）に移行する。
【００６２】
（Ｓ９）移動機構１５によって、受光素子１４を（Ｓ７）において行った演算結果に基づいて移動し、引き続き、（Ｓ６）乃至（Ｓ８）の各工程を行い、移動量についての演算結果が予め定めた規定の範囲内となったときに移動制御を終了する。
【００６３】
また、光ピックアップ６にあっては、上記したＸＹ方向における移動制御の他、Ｘ方向及びＹ方向に直交する方向であるＺ方向における移動制御も行われる。このＺ方向における移動制御の一例を図７に示すフローチャート図に従って説明する。
【００６４】
尚、上記のように、異なる波長のレーザー光を用いた光学系において、１つの受光素子１４を用いて異なる波長のレーザー光の光路を共通光路とした場合に、光路中に配置されたプリズムやレンズ等のガラス材料によって形成された光学部品によって発生する色収差により、任意の波長のレーザー光を受光素子１４に集光させたときに、他の波長のレーザー光において受光素子１４上でデフォーカスが生じるおそれがある。そこで、このデフォーカスを回避するために、以下に示すＺ方向における移動制御が必要とされる。
【００６５】
Ｚ方向における移動制御の説明においても、発光点９ａから発光されるレーザー光の波長をα、発光点９ｂから発光されるレーザー光の波長をβ、発光点９ｃから発光されるレーザー光の波長をγとする。
【００６６】
Ｚ方向における受光素子１４の移動はＺ方向移動手段によって行い、Ｚ方向移動手段としては、例えば、図８に示すような圧電素子２４が用いられる。圧電素子２４は電圧を印加することにより、その印加電圧の大きさに応じた歪みを発生し、受光素子１４をＺ方向に移動させるものであり、移動機構１５における第１のベース部１６として圧電素子２４を用いればよい。尚、Ｚ方向移動手段は圧電素子２４に限られることはなく、例えば、移動機構１５と同様に、リードスクリューとガイド軸を用いた機械的な機構を用いることも可能である。
【００６７】
（Ｓ１１）発光点９ａ、発光点９ｂ又は発光点９ｃからレーザー光が発光されるとＺ方向における移動制御が開始され、発光されたレーザー光の波長がαである場合には（Ｓ１３）に移行し、波長がαでない場合には（Ｓ１２）に移行する。
【００６８】
（Ｓ１２）発光されたレーザー光の波長がβである場合には（Ｓ１４）に移行し、波長がβでない場合には（Ｓ１５）に移行する。
【００６９】
（Ｓ１３）受光素子１４を発光点９ａからレーザー光が発光されたときの初期位置Ｐαに移動する。この初期位置Ｐαは、予め行われた測定において、例えば、圧電素子２４に対して電圧を印加しＲＦ信号の振幅が最大となるときの印加電圧を検出し、この電圧を圧電素子２４に印加したときの受光素子１４の位置である。従って、このとき発光点９ａからレーザー光が発光された状態において予め検出されて設定された電圧が圧電素子２４に対して印加される。
【００７０】
（Ｓ１４）発光点９ｂからレーザー光が発光された状態において予め検出されて設定された電圧を圧電素子２４に対して印加し、受光素子１４を発光点９ｂからレーザー光が発光されたときの初期位置Ｐβに移動する。
【００７１】
（Ｓ１５）発光点９ｃからレーザー光が発光された状態において予め検出されて設定された電圧を圧電素子２４に対して印加し、受光素子１４を発光点９ｃからレーザー光が発光されたときの初期位置Ｐγに移動する。
【００７２】
（Ｓ１６）ディスク状記録媒体１００の所定の信号記録エリアに対応する位置に対物レンズ８ａが位置されるように光ピックアップ６を移動する。
【００７３】
（Ｓ１７）（Ｓ１６）における信号記録エリアについてのＲＦ信号を検出し、初期位置Ｐα（又はＰβ又はＰγ）におけるＲＦ信号の振幅値Ｔ１を測定する。
【００７４】
（Ｓ１８）圧電素子２４に所定の電圧を印加して受光素子１４を初期位置Ｐα（又はＰβ又はＰγ）に対してＺ方向において所定量ΔＳだけ移動し、受光素子１４をポジションＳ１に位置させる。
【００７５】
（Ｓ１９）（Ｓ１６）における信号記録エリアについてのＲＦ信号を検出し、ポジションＳ１におけるＲＦ信号の振幅値Ｔ２を測定する。
【００７６】
（Ｓ２０）圧電素子２４に（Ｓ１８）における電圧とは逆方向の所定の電圧を印加して受光素子１４を初期位置Ｐα（又はＰβ又はＰγ）に対してＺ方向において所定量−ΔＳだけ移動し、受光素子１４をポジションＳ２に位置させる。
【００７７】
（Ｓ２１）（Ｓ１６）における信号記録エリアについてのＲＦ信号を検出し、ポジションＳ２におけるＲＦ信号の振幅値Ｔ３を測定する。
【００７８】
（Ｓ２２）（Ｓ１７）、（Ｓ１９）及び（Ｓ２１）において測定したＲＦ信号の振幅値Ｔ１、Ｔ２、Ｔ３に基づいて、ＲＦ信号の振幅が最大となるときの受光素子１４の位置を算出する。
【００７９】
（Ｓ２３）（Ｓ２２）における算出値に基づいて圧電素子２４に電圧を印加し、受光素子１４を（Ｓ２２）において算出した位置に移動し、Ｚ方向における移動制御を終了する。
【００８０】
尚、上記には、ＲＦ信号の振幅が最大となる位置に受光素子１４を移動させる場合を例として示したが、受光素子１４の移動位置の決定はＲＦ信号の振幅を測定して行う場合に限られることはなく、例えば、ジッター値を測定し、このジッター値が最小となるときを受光素子１４の移動位置に決定することもできる。
【００８１】
また、上記には、３波長のレーザー光を発光する発光素子９を有する場合を例として示したが、本発明の適用においては、波長の相違によるレーザー光の数は任意であり、２波長又は４波長以上であってもよい。
【００８２】
上記した最良の形態においては、３波長のレーザー光の場合について説明したが、特に、３波長の場合には光軸合成素子や楔状ガラスを配置して全ての波長に対して光軸合成を行うことは困難であるため、３波長のレーザー光の場合に本発明を適用したときには、このような困難性が回避され、受光素子１４の良好な特性を確保することができる。
【００８３】
以上に記載した通り、ディスクドライブ装置１にあっては、ディスク状記録媒体１００で反射された各波長のレーザー光が受光素子１４の受光面１４ａに入射される位置に受光素子１４を移動するようにしている。
【００８４】
従って、光路中に配置する光学部品の数を低減させると共に光学系の光路長を短くした上で、受光素子１４の良好な特性を確保することができる。
【００８５】
また、１つの受光素子に各波長に対応した複数の受光面を設けた場合の受光面の位置やアンプ回路の配置位置等の制約という不具合を生じることがなく、受光素子１４の良好な特性を確保することができる。
【００８６】
さらに、図６のフローチャート図に示す（Ｓ１）乃至（Ｓ５）の工程のように、各波長のレーザー光毎の受光素子１４の各移動位置を予め設定し、発光される発光点９ａ、９ｂ、９ｃに応じて各移動位置に受光素子１４を移動するようにしているので、受光素子１４の移動制御を容易に行うことができる。
【００８７】
加えて、図６のフローチャート図に示す（Ｓ６）乃至（Ｓ９）の工程のように、受光面１４ａの各受光領域Ａ、Ｂ、Ｃ、Ｄにおけるレーザー光の受光量を検出し、各受光領域Ａ、Ｂ、Ｃ、Ｄにおいて検出した受光量に基づいて受光素子１４を移動するようにすることにより、移動制御の精度の向上を図ることができる。
【００８８】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００８９】
【図１】図２乃至図８と共に本発明を実施するための最良の形態を示すものであり、本図はディスクドライブ装置の概略斜視図である。
【図２】光ピックアップの構成を示す概念図である。
【図３】発光素子の発光点の位置を示す概念図である。
【図４】受光素子を示す概念図である。
【図５】移動機構を示す拡大斜視図である。
【図６】ＸＹ方向における移動制御を示すフローチャート図である。
【図７】Ｚ方向における移動制御を示すフローチャート図である。
【図８】圧電素子とこれに配置された受光素子とを示す拡大斜視図である。
【符号の説明】
【００９０】
１００…ディスク状記録媒体、１…ディスクドライブ装置、３…ディスクテーブル、６…光ピックアップ、８ａ…対物レンズ、９…発光素子、９ａ…発光点、９ｂ…発光点、９ｃ…発光点、１４…受光素子、１４ａ…受光面
【図１】
2006120216.tif 000003
【図２】
2006120216.tif 000004
【図３】
2006120216.tif 000005
【図４】
2006120216.tif 000006
【図５】
2006120216.tif 000007
【図６】
2006120216.tif 000008
【図７】
2006120216.tif 000009
【図８】
2006120216.tif 000010